(57)【要約】【課題】軸筒２のインキタンク３ａ内に配した中芯９の前方にある前方当接部１４ａを前進させ、前方当接部１４ａをペン芯５及び／又はペン芯装着孔４ａに当接させてインキタンク３ａを密閉する構造の万年筆１に関し、インキタンク３ａ内に発生した気泡３０ａが前方当接部１４ａや移動弁１５に付着しにくい構造のインキ吸入式万年筆を提供する。【解決手段】中芯９に弾性変形可能な弾性部１２を設けることにより、前方当接部１４ａがペン芯５及び／又はペン芯装着孔４ａから離間した状態で、且つインキタンク３ａの大径空間部３ｂにある際に、筆記時における振動にて、前方弁部材１４ａと移動弁１５と後方当接部１６ａとがインキタンク３ａの大径空間部内３ｂで揺動する。【選択図】図９
2010105221.tif 000002
【特許請求の範囲】
【請求項１】
ペン芯を配したペン芯装着孔と、該ペン芯装着孔に連設した大径空間部と当該大径空間部の後方に連設した小径空間部とを有するインキタンクを軸筒内に設け、前記インキタンク内に当該インキタンクの後部を密閉する保持部に設けた中芯保持孔へ摺動可能に密嵌させた中芯を配すると共に、該中芯の前方に当該中芯の外径より大径で前記インキタンクの内径より小径の前方当接部を設けて、前記中芯を前方へ移動させることにより該前方当接部を前記ペン芯及び／又はペン芯装着孔に当接させて前記インキタンクを密閉可能とし、且つ前記前方当接部の後方に、前記インキタンクの小径空間部の内面と密着し且つ前記インキタンクの大径部と隙間が生じる外周部と、前記中芯を遊嵌させて流体が通過する流体流通路とを有した移動弁を設け、前記移動弁の後方に、前記中芯の前方への移動に伴い該移動弁に当接して当該移動弁の後方への移動を規制すると共に前記流体流通路を遮断する後方当接部を設け、前記移動弁が前記インキタンクの小径空間部にある状態から前進させることにより、前記移動弁の流体流通路を後方当接部で遮断して小径空間部を負圧状態とし、さらに前記移動弁を前記インキタンクの大径空間部へ前進させることにより、負圧状態にある前記インキタンクの小径空間部と前記ペン芯とを前記移動弁の外周部と前記インキタンクの大径空間部の内面との隙間で連通させ、当該インキタンク内にインキを吸入する構造のインキ吸入式万年筆において、前記中芯に弾性変形可能な弾性部を設けることにより、前記前方当接部が前記ペン芯及び／又はペン芯装着孔から離間した状態で、且つ前記インキタンクの大径空間部にある際に、筆記時における振動にて、前記前方弁部材と移動弁と後方当接部とが前記インキタンクの大径空間部内で揺動することを特徴としたインキ吸入式万年筆。
【請求項２】
前記弾性部をコイルスプリングで構成し、前記中芯の後端部に尾冠を設けて当該尾冠と前記軸筒の後端部とを着脱自在に螺合可能とし、前記尾冠を前記軸筒に螺合させた状態において、前記コイルスプリングの弾発力により前記前方当接部を前記ペン芯及び／又はペン芯装着孔に圧接させることを特徴とした請求項１に記載のインキ吸入式万年筆。
【発明の詳細な説明】
【技術分野】
【０００１】
本発明は、軸筒内にインキタンクを備えた万年筆に関し、詳細には、インキタンク内の中芯に付設した移動弁を前進させることによりインキタンク内を負圧とし、ペン芯からインキを吸入する構造のインキ吸入式万年筆に関する。
【背景技術】
【０００２】
従来より、特開２００１−３４７７８６号公報に記載の万年筆のように、軸筒内にインキタンクを形成したインキタンクの容積が大きい万年筆では、インキタンクとペン芯とを遮断する構造が重要視されている。理由として、インキタンクの容積が大きいと内在する空気の量が多くなり、気温が高くなったり気圧が低下することによって変化するインキタンク内の空気の膨張量も大きくなることから、ペン芯にたまったインキをインキタンク内の膨張した空気が押し出してインキ漏れを生じさせることがあるためである。
【０００３】
したがって特開２００１−３４７７８６号公報に記載の万年筆では、未使用時においてはインキタンク内の中芯を前進させ、中芯の先端に設けた前方当接部を軸筒前方に配したペン芯やペン芯装着孔に当接させることにより、外部と連通しているペン芯の空気溝やインキ溝とインキタンクを遮断して、インキ漏れの防止を行っている。また筆記時においては中芯を若干後退させ、前方当接部をペン芯やペン芯装着孔から離間させた状態にして、ペン芯へのインキ流入を可能としている。尚、特開２００１−３４７７８６号公報に記載があるような吸入式の万年筆では、筆記時にインキを吸引させるための弁体（本発明における移動弁）を小径孔（本発明における小径空間部）にまで後退させないようにする必要がある。理由としては、弁体を小径孔まで後退させてしまった場合、筆記時に誤って中芯を押してしまうことで、ペン芯に連設したインキタンクの大径空間部を加圧してしまい、逃げ場のなくなったインキがペン芯から飛び出さないようにするためである。したがって、筆記可能状態においては前方当接部をペン芯やペン芯装着孔からわずかに離間させた状態でペン芯へのインキの流入を可能としてあり、結果的に筆記時において前方当接部や移動弁がペン芯に近い状態となることから、インキの吐出量に応じてペン芯から生じる気泡が前方当接部や移動弁に付着しやすく、インキタンクの後方へ行くことなく徐々に気泡がペン芯の近くで大きくなって、インキの流出を阻害し、筆記を妨げる場合があった。
【特許文献１】「特開２００１−３４７７８６号公報」
【発明の開示】
【発明が解決しようとする課題】
【０００４】
本発明はこうした問題を鑑みて、インキタンク内において前方当接部や移動弁に付着した気泡によって、インキの流出を阻害してしまうことがないインキ吸入式万年筆を提供することを目的とする。
【課題を解決するための手段】
【０００５】
本発明は、
「１．ペン芯を配したペン芯装着孔と、該ペン芯装着孔に連設した大径空間部と当該大径空間部の後方に連設した小径空間部とを有するインキタンクを軸筒内に設け、前記インキタンク内に当該インキタンクの後部を密閉する保持部に設けた中芯保持孔へ摺動可能に密嵌させた中芯を配すると共に、該中芯の前方に当該中芯の外径より大径で前記インキタンクの内径より小径の前方当接部を設けて、前記中芯を前方へ移動させることにより該前方当接部を前記ペン芯及び／又はペン芯装着孔に当接させて前記インキタンクを密閉可能とし、且つ前記前方当接部の後方に、前記インキタンクの小径空間部の内面と密着し且つ前記インキタンクの大径部と隙間が生じる外周部と、前記中芯を遊嵌させて流体が通過する流体流通路とを有した移動弁を設け、前記移動弁の後方に、前記中芯の前方への移動に伴い該移動弁に当接して当該移動弁の後方への移動を規制すると共に前記流体流通路を遮断する後方当接部を設け、前記移動弁が前記インキタンクの小径空間部にある状態から前進させることにより、前記移動弁の流体流通路を後方当接部で遮断して小径空間部を負圧状態とし、さらに前記移動弁を前記インキタンクの大径空間部へ前進させることにより、負圧状態にある前記インキタンクの小径空間部と前記ペン芯とを前記移動弁の外周部と前記インキタンクの大径空間部の内面との隙間で連通させ、当該インキタンク内にインキを吸入する構造のインキ吸入式万年筆において、前記中芯に弾性変形可能な弾性部を設けることにより、前記前方当接部が前記ペン芯及び／又はペン芯装着孔から離間した状態で、且つ前記インキタンクの大径空間部にある際に、筆記時における振動にて、前記前方弁部材と移動弁と後方当接部とが前記インキタンクの大径空間部内で揺動することを特徴としたインキ吸入式万年筆。
２．前記弾性部をコイルスプリングで構成し、前記中芯の後端部に尾冠を設けて当該尾冠と前記軸筒の後端部とを着脱自在に螺合可能とし、前記尾冠を前記軸筒に螺合させた状態において、前記コイルスプリングの弾発力により前記前方当接部を前記ペン芯及び／又はペン芯装着孔に圧接させることを特徴とした１項に記載のインキ吸入式万年筆。」である。
【０００６】
中芯に設ける弾性変形可能な弾性部材は、コイルスプリングや板バネなどのバネ体としたり、あるいはゴムやエラストマーや合成樹脂等よりなる弾性材で成形したものであり、筆記時の振動によって、前方当接部と移動弁と後方当接部とを揺動させるものである。尚、前方当接部と移動弁と後方当接部は、インキの中で揺動する必要があるため、インキ粘度などを考慮して、前方当接部や移動弁や後方当接部の重さを設定したり、弾性部材の弾性力を設定することが肝要である。尚、弾性部材としてコイルスプリングや板バネを用いる場合には、インキの影響を受けにくいステンレス材で形成することが好ましい。また、弾性部材にゴムやエラストマーや合成樹脂を用いる場合には、弾性部材がインキに、あるいはインキが弾性部材に悪影響をおよぼさないものを選定すればよい。
【発明の効果】
【０００７】
本発明では、筆記時の振動を利用して前方当接部と移動弁と後方当接部とを揺動させることで、インキタンク内で前方当接部や移動弁に付着した気泡を引き離すことから、ペン芯の近くで気泡を大きくさせることなく、連続した筆記を行うことができるものとなった。
【０００８】
また、２項に係る発明では、前述の効果を奏すると共に、尾冠を軸筒の後端部に螺合させた状態、つまり非筆記状態において、前方当接部をペン芯及び／又はペン芯装着孔に圧接させることができるので、インキタンクの気密性を向上させ、インキ漏れやインキの乾燥をさらに防止できるのもとなった。
【発明を実施するための最良の形態】
【０００９】
インキタンク内においてペン芯の近くで気泡が大きくなることなく、インキの流出を止めてしまうことがない構造の万年筆を実現した。
【実施例】
【００１０】
次に図面を参照しながら本実施例の説明を行う。本実施例の説明においては、長手方向においてペン先の方向を前方と表現し、その反対側を後方と表現する。また、軸筒の軸心を基準にペン先がある側を上方と表現し、その反対側を下方と表現する。また本実施例を説明する断面図では、内容を解りやすくするために、断面図と外形図とを組み合わせた状態の図面記載がある。図中の同じ部材、同じ部品については、同じ符号としてある。尚、本発明は以下の実施例に限定されるものではない。
【００１１】
図１は本実施例の万年筆の縦断面図で、図２は図１の要部断面図である。万年筆１は、軸筒２を軸筒本体３と首部材４とで構成してあり、首部材４の内部にペン芯５を装着するペン芯装着孔４ａを設けてある。ペン芯５は、ペン芯本体５ａとペン芯本体５ａに形成した貫通孔に配した内芯５ｂとからなり、ペン芯本体５ａの側面と首部材４の内面との間にペン先６を挟持してある。
【００１２】
また首部材４のペン芯装着孔４ａの後端部には、後方へ向かって拡径するテーパー部４ｂを設けてあり、軸筒本体３の内部に設けたインキタンク３ａの大径空間部３ｂと連設させ、大径空間部３ｂの後方に小径空間部３ｃを連設してある。小径空間部３ｃの後部にはインキタンク３ａを密閉する保持部材７を螺着してあり、保持部材７に形成した中芯保持孔７ａにはＯリング８を配設し、インキタンク３ａ内に配した中芯９を摺動可能に密嵌させている。また中芯９の後端部には雄螺子部９ａを形成してあり、雄螺子部９ａを尾冠１０に形成した雌螺子部１０ａに螺合させて、尾冠１０の前後動に伴ってインキタンク３ａ内の中芯９が従動できるようにしてある。尚、尾冠１０の前端内面には雌螺子部１０ｂを形成してあり、保持部材７の後端外面に形成した雄螺子部７ｂと螺合可能にしてある。
【００１３】
また図２に詳細を示すように、中芯９の前端には小径の突出部９ｂを形成してあり、突出部９ｂに円環状の円環部材１１とコイルスプリング１２の後方に形成した座巻部１２ａを圧嵌して固着し、コイルスプリング１２の前方の座巻部１２ｂには、連結部材１３の後端に形成した突出部１３ａを圧嵌して固着してある。また、連結部材１３の先端には雄螺子部１３ｂを設けてあり、前述したペン芯装着孔４ａのテーパー部４ｂに当接する円錐状の前方当接部１４ａを有した前方当接体１４に形成した雌螺子部１４ｂと螺合してある。また前方当接体１４の側面には複数放射状に形成した突起部１４ｃを設けてあり、連結軸１３に、移動弁１５の前後方向が貫通した流体流通路１５ａを挿通させると共に移動弁１５の前方への移動を突起部１４ｃで規制している。また、後方当接部１６ａを有した後方当接体１６は、貫通孔１６ｂに連結軸１３を挿着させると共に、前方当接体１４の後端部と連結軸１３の鍔部１３ｃとの間に挟持させ、移動弁１５の後方への移動を後方当接体１６の後方当接部１６ａによって規制してある。したがって移動弁１５は、前方当接体１４の突起部１４ｃと後方当接体１６の後方当接部１６ａとの間で前後動可能としてある。また図示はしないが、インキタンク３ａ内にインキが収容された状態であっても、図２の状態においては、ペン芯装着孔４ａのテーパー部４ｂに前方当接体１４の円錐状の前方当接部１４ａを当接させて、ペン芯５のインキ溝５ｃや空気溝５ｄをインキタンク３ａから遮断してインキ漏れを防止した非筆記状態となっている。特に本実施例では、尾冠１０を保持部材７に螺合させた非筆記状態において、コイルスプリング１２の圧縮された弾発力で前方当接体１４の前方当接部１４ａがペン芯装着孔４ａのテーパー部４ｂに圧接した状態になっており、インキタンク３ａ内の気密性を高めている。
【００１４】
次にインキタンクにインキを吸入する際の説明を行う。図３は尾冠を引いている状態の断面図で、図４は図３の要部断面図である。図３に示すように尾冠１０を保持部材７から螺脱して後方へ引き、中芯９を後退させて移動弁１５をインキタンク３ａの小径空間部３ｃへ移動させると、図４に示すように移動弁１５の外周部１５ｄが小径空間部３ｃの内面に密着し、移動弁１５の流体通路１５ａの内部に形成した突起部１５ｂが前方当接体１４の突起部１４ｃに当接した状態で後退する。この際、移動弁１５の後端部１５ｃは、後方当接体１６の後方当接部１６ａと離間しており、インキがなくなり空となった小径空間部３ｃ内の空気は、複数放射状に配列した突起部１５ｂ間を通って流体流通路１５ａを通過するので、インキタンク３ａ内の圧力を変化させることなく、移動弁１５を後退させることができる。尚、本実施例では、尾冠１０を後方へ引いた際に、中芯９に固着した円環部材１１がインキタンク３ａの後端部となる保持部材７に当接して後方への移動を規制する構造としてあり、隙間だらけのコイルスプリング１２が保持部材７の中芯保持孔７ａまで進入してしまうことがないので、軸筒２の後方からのインキ漏れや空気漏れは生じない。
【００１５】
図５はペン芯をインキ瓶のインキに入れて尾冠を押している状態の断面図で、図６は図５の要部断面図である。図７は図６の状態からさらに尾冠を前進させた状態である。図５に示すように尾冠を前進させることにより、図６に詳細を示すようにインキタンク３ａの小径空間部３ｃの内面に密着した移動弁１５の後端部１５ｃが後方当接体１６の後方当接部１６ａに当接して、移動弁１５の流体流通路１５ａを遮断し、気密状態の小径空間部３ｃを負圧状態とする。この状態から図７に示すように、さらに移動弁１５を大径空間部３ｂまで前進させることにより、移動弁１５の外周部１５ｄが大径空間部３ｂの内面と離間して隙間を生じさせ、図５に示したインキ瓶４０のインキ２０をペン芯５から吸入し、負圧状態となっている小径空間部３ｃへ向かって吸い上げる構造である（図７参照）。
【００１６】
本実施例の万年筆における筆記時のインキタンク内の説明を行う。図８は筆記を行っている状態の要部断面図である。筆記状態においてインキタンク３ａ内のインキ２０は、ペン芯５のインキ溝５ｃから流出し、インキ２０の吐出分２０ａだけ空気３０が空気溝５ｄから入る構造である。したがって、図８に示すように、空気溝５ｄから入ってくる空気は気泡３０ａとなり、浮力でインキタンク３ａの上部を通りながら後方へ向かう。この時に気泡３０ａは、大径空間部３ｂ内で外周部１５ｄが大きな移動弁１５に付着することとなるが、本実施例では、中芯９に弾性部としてコイルスプリング１２を設けてあることから、図９に示すように、前方当接体１４と移動弁１５と後方当接体６とが筆記時の振動で上下に揺動して、移動弁１５に付着した気泡３０ａを引き離し、気泡３０ａがペン芯５の近くで大きくなることなくインキタンク３ａの後方へ進むことにより、インキ２０を安定してペン芯５に流入させ連続した筆記を行うことができた。
【００１７】
次に比較例として、従来構造の吸入式の万年筆における筆記時のインキタンク内の説明を行う。図１０は従来構造の万年筆１００における要部断面図である。従来構造の万年筆１００は、中芯９に弾性部を設けていないことが先の実施例と異なっており、前方当接体１４と移動弁１５と後方当接体６とが軸筒２の軸心に沿って常に真っ直ぐな状態になっている。比較例の万年筆１００も前述の実施例と同様に、インキ２０の消費に伴い気泡３０ａが空気溝５ｄから発生するが、気泡３０ａは前方当接体１４に付着して、後方へ進むことなく徐々に大きくなり、連続筆記により図１０のような状態となり、インキタンク３ａ内のインキ２０がペン芯５と隔離され、インキ２０の流出を阻害して筆記が行えなくなることがあった。
【産業上の利用可能性】
【００１８】
本発明は、万年筆のペン先以外でも、特開平８−５２９７７号公報に示されるような、複数の薄板材を重ね合わせて微小隙間状のインク流路を先端部から後端部まで全長に渡って形成したペン先を有する筆記具にも適用できる。
【図面の簡単な説明】
【００１９】
【図１】本実施例の万年筆の縦断面図である。
【図２】図１の要部断面図である。
【図３】尾冠を引いている状態の断面図である。
【図４】図３の要部断面図である。
【図５】ペン芯をインキ瓶のインキに入れて尾冠を押している状態の断面図である。
【図６】図５の要部断面図である。
【図７】図６の状態からさらに尾冠を前進させた状態である。
【図８】本実施例の万年筆における筆記状態の要部断面図である。
【図９】本実施例の万年筆にて連続筆記を行っている状態の要部断面図である。
【図１０】比較例の万年筆にて連続筆記を行っている状態の要部断面図である。
【符号の説明】
【００２０】
１，１００…万年筆、２…軸筒、
３…軸筒本体、３ａ…インキタンク、３ｂ…大径空間部、３ｃ…小径空間部、
４…首部材、４ａ…ペン芯装着孔、４ｂ…テーパー部、
５…ペン芯、５ａ…ペン芯本体、５ｂ…内芯、５ｃ…インキ溝、
５ｄ…空気溝、
６…ペン先、７…保持部材、７ａ…中芯保持孔、７ｂ…雄螺子部、
８…Ｏリング、９…中芯、９ａ…雄螺子部、９ｂ…突出部、
１０…尾冠、１０ａ…雌螺子部、１０ｂ…雌螺子部、
１１…円環部材、１２…コイルスプリング、１２ａ，１２ｂ…座巻部、
１３…連結部材、１３ａ…突出部、１３ｂ…雄螺子部、１３ｃ…鍔部、
１４…前方当接体、１４ａ…前方当接部、１４ｂ…雌螺子部、
１４ｃ…突起部、
１５…移動弁、１５ａ…流体流通路、１５ｂ…突起部、１５ｃ…後端部、
１５ｄ…外周部、
１６…後方当接体、１６ａ…後方当接部、１６ｂ…貫通孔、
２０…インキ、２０ａ…吐出分、３０…空気、３０ａ…気泡、４０…インキ瓶。
【図１】
2010105221.tif 000003
【図２】
2010105221.tif 000004
【図３】
2010105221.tif 000005
【図４】
2010105221.tif 000006
【図５】
2010105221.tif 000007
【図６】
2010105221.tif 000008
【図７】
2010105221.tif 000009
【図８】
2010105221.tif 000010
【図９】
2010105221.tif 000011
【図１０】
2010105221.tif 000012